(57)【要約】【課題】可能な限り、すだれの耐久性を損ねることなくすだれの垂長を任意の長さに調整し得るすだれ掛上げユニットを提供すること。【解決手段】葦その他の素材からなるひご２０２を複数本編み列ねてなる本体２０６と本体２０６の上縁に沿って設けられた上桟２０８と下縁に沿って設けられた下桟とを有するすだれ２００を掛上げるためのユニットを、上桟２０８に取り付けられる受け具１２と、受け具１２に繋止される留め具３０とを備え、留め具３０をひご２０２又は前記下桟に着脱自在に構成されてなるものとした。【選択図】図８
2015226735.tif 000002
【特許請求の範囲】
【請求項１】
葦その他の素材からなるひごを複数本編み列ねてなる本体と前記本体の上縁に沿って設けられた上桟と下縁に沿って設けられた下桟とを有するすだれを掛上げるためのユニットであって、
前記上桟に取り付けられる受け具と、
前記受け具に繋止される留め具と、
を備え、
前記留め具が前記ひご又は前記下桟に着脱自在に構成されていることを特徴とするすだれ掛上げユニット。
【請求項２】
前記留め具はコードを有し、当該コードが前記ひご又は前記下桟に巻き付けられることにより、当該留め具が当該ひご又は当該下桟に装着されることを特徴とする請求項１に記載のすだれ掛上げユニット。
【請求項３】
前記コードは環状を成していて、当該コードが前記ひご又は前記下桟に約半周巻き付けられた状態で、一端が他端側の環状部に通されて引っ張られることにより当該ひご又は下桟に巻き付けられることを特徴とする請求項２に記載のすだれ掛上げユニット。
【請求項４】
前記留め具は、前記コードの前記一端に取り付けられた留玉を有し、
前記受け具は、前記留玉を繋止する繋止部を有することを特徴とする請求項３に記載のすだれ掛上げユニット。
【請求項５】
前記繋止部は、スリットが開設された板体からなり、
当該スリットは、前記コードの進入は許容するが前記留玉の通過は阻止する幅に形成されていて、
前記留め具は、前記スリットに前記留玉が引っ掛けられて、前記受け具に繋止されることを特徴とする請求項４に記載のすだれ掛上げユニット。
【発明の詳細な説明】
【技術分野】
【０００１】
本発明は、葦（よし）や細く割った竹などを編み列ねてなるすだれ（簾）を掛上げるためのユニットに関する。
【背景技術】
【０００２】
古来、すだれは軒先に垂らされ、例えば、夏季において、強い日差しを避けるなどの目的で使われている。
【０００３】
ところで、近代的な家屋では、軒は極端に浅くなっており、また、軒自体が無い家屋も少なくないため、すだれは窓に非常に近接した位置に吊下げられる場合が多い。このため、窓を開けたときの解放感が損なわれるので、曇天の日などにおいて、すだれが不要なときには、すだれを適当な長さになるまで巻き上げ、紐で括るなどしてすだれが垂れ下がる長さ（以下、「垂長」と言う。）を調整している。
【０００４】
また、昇降紐を引き下げることにより、自動的にすだれが巻き上がる昇降具が付設されたすだれも普及している（特許文献１）。しかし、巻き上げた際に、昇降紐が戻るのを規制する金属製のストッパが直ぐに腐食し、ストッパが効きにくくなるなどして寿命の短いものになっている。ストッパをプラスチックで形成したものも見受けられるが、雨天などで、昇降紐が雨水を吸った場合、ストッパとの間の摩擦力が低下することに加え、すだれ本体（葦や縦糸）も水を吸って重量が増大することから、ストッパが効かずに巻き上げた状態が保持できなくなってしまう。
【０００５】
このため、すだれを二つ折や三つ折りに掛上げて、垂長を調整することができるすだれが特許文献２に開示されている。
【０００６】
特許文献２に記載されたすだれは、下桟の長手方向中央に固定された一の枠型留金（以下、「二つ折用留金」と言う。）を有している。また、すだれ全長の下からほぼ１/３の位置に、すだれ本体を構成する通常のひご（例えば、葦）に代えて力杆が１本編み込まれ、当該力杆の中央部に別の枠型留金（以下、「三つ折用留金」と言う。）が固定されている。そして、上桟の長手方向中央には、釣型受金が固定されている。
【０００７】
引用文献２のすだれによれば、二つ折用留金を持ち上げて釣型受金に係合させることによりすだれを二つ折掛上げとすることができ、三つ折用留金を持ち上げて釣型受金に係合させることによりすだれを三つ折掛上げとすることができる。これにより、すだれの垂長が全長に対して、概ね半分、または概ね１/３に調整される。
【０００８】
また、受金に留金を係合させる構成としているため、当該受金や留金に少々腐食が生じた程度では、その機能は失われず、また、すだれ本体が雨水を吸ったとしても、その重量に耐え得るものとすることができると思われる。
【０００９】
しかし、引用文献２のすだれでは、留金が設けられた位置に対応する長さにしか垂長を調整することができない。すだれの全長に渡り、間隔を詰めて複数の留金を設けることにより、垂長を任意の大きさに調整することはできるものの、コストが上昇する上にすだれの意匠性を大きく損ねてしまう。
【００１０】
これに対し、特許文献３には、すだれを可能な限り任意の垂長に調整することができるＳ字型固定板が記載されている。
【００１１】
このＳ字型固定板は、全体的に縦に細長いＳ字状をした薄い板体からなり、Ｓ字を形成するため両端部に開設された切込み部の各々がフックとして機能するように形成されてなるものである。当該Ｓ字型固定板は、以下のようにして用いられる。
【００１２】
先ず、一方の端部を隣接する二本のひごの隙間に挿入し、当該隣接するひごを連結している縦糸部分に一方の切込み部（フック）を引っ掛ける。
【００１３】
次に、Ｓ字型固定板の他方の端部を持ち上げて、当該他方の端部の切込み部（フック）をさらの上方の縦糸部分に引っ掛けることによって、すだれを掛上げることができる。
【００１４】
当該Ｓ字型固定板の両端部の切込み部は、隣接する任意のひごの間に挿入して縦糸部分に引っ掛けることができるため、すだれの垂長も任意の長さに調整することが可能となっている。
【先行技術文献】
【特許文献】
【００１５】
【特許文献１】実公昭４４−１９３０７号公報
【特許文献２】実公昭４８−１１３７３号公報
【特許文献３】特開２０１２−２００９１号公報
【発明の概要】
【発明が解決しようとする課題】
【００１６】
ところが、引用文献３のＳ字型固定板は、薄い板に形成された切込み部を縦糸に引っ掛ける構成としている関係上、持ち上げた分のすだれの自重が引っ掛けた縦糸部分に集中的に掛かるため、比較的長期間の使用により当該縦糸部分が切れてしまい、すだれの耐久性を低下させてしまうおそれがある。
【００１７】
なお、前記昇降具によってすだれを巻き上げた状態は、使用者によっては、あまり美観が良くないと感じるため、室内で用いるすだれにおいても、すだれを掛け上げることにより垂長を調整したいといった要請がある。
【００１８】
本発明は、上記した課題に鑑み、可能な限り、すだれの耐久性を損ねることなくすだれの垂長を任意の長さに調整し得るすだれ掛上げユニットを提供することを目的とする。
【課題を解決するための手段】
【００１９】
上記の課題を解決するため、本発明に係るすだれ掛上げユニットは、葦その他の素材からなるひごを複数本編み列ねてなる本体と前記本体の上縁に沿って設けられた上桟と下縁に沿って設けられた下桟とを有するすだれを掛上げるためのユニットであって、前記上桟に取り付けられる受け具と、前記受け具に繋止される留め具と、を備え、前記留め具が前記ひご又は前記下桟に着脱自在に構成されていることを特徴とする。
【００２０】
また、前記留め具はコードを有し、当該コードが前記ひご又は前記下桟に巻き付けられることにより、当該留め具が当該ひご又は当該下桟に装着されることを特徴とする。
【００２１】
さらに、前記コードは環状を成していて、当該コードが前記ひご又は前記下桟に約半周巻き付けられた状態で、一端が他端側の環状部に通されて引っ張られることにより当該ひご又は下桟に巻き付けられることを特徴とする。
【００２２】
また、さらに、前記留め具は、前記コードの前記一端に取り付けられた留玉を有し、前記受け具は、前記留玉を繋止する繋止部を有することを特徴とする。
【００２３】
また、前記繋止部は、スリットが開設された板体からなり、当該スリットは、前記コードの進入は許容するが前記留玉の通過は阻止する幅に形成されていて、前記留め具は、前記スリットに前記留玉が引っ掛けられて、前記受け具に繋止されることを特徴とする。
【発明の効果】
【００２４】
上記の構成からなる本発明に係るすだれ掛上げユニットによれば、すだれの上桟に取り付けられる受け具に繋止される留め具が、すだれを構成するひご又は下桟に着脱自在に構成されているため、当該留め具をひご又は下桟に装着した状態で持ち上げて、前記受け具に繋止することにより、当該すだれを掛上げることができる。
【００２５】
また、留め具を装着するひごを変更することにより、すだれを掛上げた状態における当該すだれの垂長を調整し得る。
【００２６】
さらに、留め具は、一般的に、縦糸よりも丈夫なひごに装着されるため、縦糸に装着する特許文献３に記載のものよりもすだれの耐久性を損なわない。
【図面の簡単な説明】
【００２７】
【図１】実施形態に係るすだれ掛上げユニットの装着対象であるすだれの一例を示す図である。
【図２】（ａ）は、実施形態１に係るすだれ掛上げユニットを構成する受け具の正面図、（ｂ）は、同右側面図である。
【図３】上記受け具の斜視図である。
【図４】上記受け具をすだれに装着した状態を示す斜視図である。
【図５】（ａ）は、上記すだれ掛上げユニットを構成する留め具を示す図であり、（ｂ）は、同第２留め具を示す図である。
【図６】上記留め具をすだれに装着した状態を示す斜視図である。
【図７】（ａ）は、上記すだれ掛上げユニットを用いて、すだれを二つ折りに掛上げる過程を示す斜視図であり、（ｂ）は、同三つ折りに掛上げる過程を示す斜視図である。
【図８】上記すだれ掛上げユニットを用いて、すだれを三つ折りに掛上げた状態を示す斜視図である。
【図９】上記すだれ掛上げユニットを用いて、すだれを巻き上げた状態を維持している様子を表した斜視図である。
【図１０】実施形態２に係るすだれ掛上げユニットを用いて、すだれを三つ折りに掛上げた状態を示す斜視図である。
【図１１】（ａ）は、実施形態３に係るすだれ掛上げユニットの留め具を示す図を、（ｂ）は同受け具を示す図を、（ｃ）は当該すだれ掛上げユニットを用いて、すだれを三つ折りに掛上げた状態を示す斜視図を、それぞれ示している。
【図１２】（ａ）は、実施形態４に係るすだれ掛上げユニットの留め具を示す図を、（ｂ）は同受け具を示す図を、（ｃ）は当該すだれ掛上げユニットを用いて、すだれを三つ折りに掛上げた状態を示す斜視図を、それぞれ示している。
【発明を実施するための形態】
【００２８】
本発明に係るすだれ掛上げユニットの実施形態について説明する前に、当該すだれ掛上げユニットの装着対象であるすだれ２００について説明する。
【００２９】
図１に示すように、すだれ２００は、複数本のひご２０２を４条の縦糸２０４で編み列ねてなる本体２０６と本体２０６の上縁に沿って設けられた上桟２０８と下縁に沿って設けられた下桟２１０とを有する。上桟２０８には、すだれ２００を軒や窓枠（いずれも不図示）などに取り付けるための（吊り下げるための）吊り具２２０が設けられている。
【００３０】
ひご２０２には、葦（よし）、細く割って削った竹、蒲などの天然素材の他、合成樹脂製のバー材、合成樹脂製のパイプ材などの人工素材が用いられる。また、図示例では、縦糸２０４は４条であるが、すだれのサイズ等に応じて、１条のものもあるし、２条、３条、あるいは５条以上のものもある。
＜実施形態１＞
すだれ２００の上桟２０８には、実施形態１に係るすだれ掛上げユニット１０（以下、単に「掛上げユニット１０」と言う。）を構成する受け具１２が取り付けられる。受け具１２について、図２、図３を参照しながら説明する。
【００３１】
受け具１２は、金属板に打ち抜きや曲げなどの加工を施して形成したものである。受け具１２は、符号１４で指し示す横方向に細長い長方形の孔（以下、「取付孔１４」と言う。）が開設された取付部１６と、符号１８で指し示す縦方向に細長いスリット（以下、「繋止スリット１８」と言う。）が開設された繋止部２０とが平行な２本のアーム部２２で連結された構成を有している。
【００３２】
取付部１６は、また、取付孔１４の下方に延びる舌片部２４を有する。繋止部２０は、また、繋止スリット１８の上端から上方へ拡がるテーパ状をした導入部２６を有する。図２（ａ）に示すように、導入部２６を形成する両斜面２６Ａ,２６Ｂは、正面視で逆「ハ」字状に形成されている。２本のアーム部２２は、導入部２６の左右両端から延出されている。
【００３３】
受け具１２は、図４に示すように、上桟２０８に２本の結束バンド２８によって取り付けられる。結束バンド２８は、公知のものが用いられる。結束バンド２８は、そのバンド部２８Ａが、上桟２０８と最上位のひご２０２との間の隙間、および受け具１２の取付孔１４に挿通され、ヘッド部２８Ｂに開設された爪（不図示）付き孔に挿入されて、締め付けられることによって、受け具１２が上桟２０８に取り付けられる。なお、ヘッド部２８Ｂから突出したバンド部２８Ａ部分は、切除しても構わない。
【００３４】
取り付けた状態において、受け具１２は、その形状に起因し、結束バンド２８が挿通された取付孔１４を中心として、自重によって、すだれ２００の表側に向かって回転しようとするが、舌片部２４が、一または複数本のひご２０２に当接して過度の回転を阻止する。
【００３５】
上記の例では、結束バンド２８を２本用いているが、１本でも良く、あるいは、３本以上用いても構わない。また、結束バンド２８によらず、紐（不図示）で受け具１２を上桟２０８に括り付けても構わない。あるいは、紐に限らずワイヤー（不図示）によっても良い。
【００３６】
掛上げユニット１０は、受け具１２に繋止される留め具３０を有する。図５（ａ）に示すように、留め具３０は、１本のコード３２とコード３２の両端部を束ねた留玉３４とを有する。留玉３４は球状をしている。両端部が束ねられたコード３２は、環状を成している。
【００３７】
留玉３４は、例えば、合成樹脂からなり、射出成形によって形成される。コード３２の両端部は前記射出成形の際に留玉３４に植設することができる（インサート成形）。
【００３８】
あるいは、留玉にその直径方向に貫通する孔を開設し、当該孔にコード３２の両端部を挿通してから、当該両端部をいわゆる玉結びにすることによって、留玉からのコード３２の抜け止めとして留め具を構成することとしても構わない。
【００３９】
掛上げユニット１０は、また、図５（ｂ）に示すように、コード３８と留玉４０とを含む第２留め具３６を有する。第２留め具３６は、コード３８がコード３２よりも長い以外は、留め具３０と同様の構成なので、構成についての詳細な説明は省略する。
【００４０】
留め具３０のすだれ２００への装着の態様について、図６を参照しながら説明する。なお、図６は、すだれ２００を表側から視た図である。留め具３０のコード３２を隣接する２本のひご２０２の隙間に表側から挿入し、裏側に回ったコード３２部分を別の隙間から表側に引き出す。この状態でコード３２は、ひご２０２に約半周巻き付けられた状態となる。引き出され、輪になったコード３２部分（環状部）に留玉３４を通して、手前に引くことによって、図６に示すように、コード３２がひご２０２に巻き付けられた状態になり、留め具３０がすだれ２００に装着される。
【００４１】
留め具３０をすだれ２００から脱着する場合は、図６に示す状態において、留玉３４とは反対側のコード３２端部を手前に引っ張って、前記輪になったコード３２の当該輪を拡大する。拡大された輪から留玉３４を抜き出し、抜き出した留玉３４を手前に引っ張ることにより、コード３２は、ひご２０２間の２箇所の隙間を通り抜けて、すだれ２００から外れる。
【００４２】
以上、説明したように、留め具３０は、すだれ２００のひご２０２に装着したり（取り付けたり）、ひご２０２から脱着したり（外したり）が自在になっている（着脱自在になっている）。
【００４３】
図６に示す例では、留め具３０は、二本のひご２０２に装着されているが、一本でも構わない。あるいは、三本以上でも良い。上記した装着の態様から理解できるように、留め具３０は、一または隣合う数本のひご２０２に装着可能に構成されている。また、留め具３０は、すだれ２００における最下位のひご２０２から最上位のひご２０２の任意のひご２０２に装着できることは言うまでもない。さらに、留め具３０は、下桟２１０（図１）に装着することとしても構わない。
【００４４】
第２留め具３６は、図４に示すように、すだれ２００の裏側から、留め具３０と同様にして、ひご２０２に装着される。なお、図４には、留玉４０（図５（ｂ））は現われていない。図示例では、第２留め具３６は、隣り合う３本のひご２０２に装着されているが、１本若しくは隣り合う２本または４本以上のひご２０２に装着することとしても構わない。また、第２留め具３６は、上桟２０８に装着することとしても構わない。なお、第２留め具３６のすだれ２００からの脱着は、留め具３０と同様になされるので、その説明については省略する。
【００４５】
掛上げユニット１０において、受け具１２と留め具３０および第２留め具３６との寸法関係は以下のように設定されている。受け具１２の２本のアーム部２２の間隔は、留玉３４，４０の直径よりも十分に大きく設定されている。また、受け具１２の繋止スリット１８の幅は、コード３２，３８の進入は許容するものの、留玉３４，４０の通過は阻止する大きさに設定されている。
【００４６】
上記の構成からなる掛上げユニット１０を用いて、すだれ２００を三つ折りに掛上げる例について、図７（ａ）を参照しながら説明する。
【００４７】
図７（ａ）は、留め具３０がすだれ２００の全長における下から約１/３の位置に、上記のようにして装着された例を示している。
【００４８】
装着された留め具３０を持って、図７（ａ）に示すように持ち上げ、留め具３０の留玉３４を受け具１２の２本のアーム部２２(図４)の間から下方へ落とし込む。
【００４９】
２本のアーム部２２から下方へ落とし込まれた留玉３４は、図８に示すように、繋止スリット１８に引っ掛かり、これによって留め具３０が受け具１２に繋止され、すだれ２００が三つ折に掛上げられた状態が維持される。このとき、コード３２が繋止スリット１８の真上になかったとしても、コード３２は、導入部２６に案内されてスムーズに繋止スリット１８内へと進入する。
【００５０】
以上により、すだれ２００の垂長が全長の概ね１/３程度に調整される。
【００５１】
ずだれ２００を二つ折りに掛上げる場合は、図７（ｂ）に示すように、留め具３０を下桟２１０に装着する。下桟２１０に装着された留め具３０を持ち上げて、上記したようにして、留め具３０を受け具１２に繋止する。これにより、すだれ２００の垂長は、全長の概ね半分程度に調整される。
【００５２】
留め具３０は、すだれ２００の本体２０６の上下方向任意の位置に装着できるため、可能な限り所望の垂長に調整することができる。
【００５３】
また、留め具３０は、一般的に、縦糸２０４よりも丈夫なひご２０２に装着されるため、縦糸に装着する特許文献３に記載のものよりもすだれ２００の耐久性を損なわないと考えられる。装着対象とするひご２０２の本数は任意であるが、ひご２０２の一本当たりの剛性（素材や太さ）などに応じて適宜選択される。例えば、竹を素材とし、比較的太いひご２０２の場合には、留め具３０は、１〜２本のひご２０２に装着するのが適当であり、葦を素材とし、比較的細いひご２０２の場合には、留め具３０は、３〜５本のひご２０２に装着するのが適当であると考えられる。
【００５４】
なお、上記の例では、留め具３０は、すだれの表側から装着したが（留玉３４が表側に存するように装着したが）、留め具３０は裏側から装着しても（留玉３４が裏側に存するように装着しても）構わない。
【００５５】
さらに、掛上げユニット１０は、すだれ２００を巻き上げた状態に保持することもできる。すだれ２００を巻き上げる場合は、すだれ２００の表側を内にして巻き込み、すだれ２００の裏側に吊下げられた第２留め具３６（図４、図５（ｂ））を巻かれたすだれ２００の下方から表側に回して、留玉４０を受け具１２に繋止させる。これにより、巻き上げられたすだれ２００は、図９に示すように、第２留め具３６および受け具１２によって吊下げられた状態で保持される。
【００５６】
なお、巻き上げる場合は、図１に示した全長に渡って垂れ下げた状態からばかりでなく、上記した三つ折り掛上げや二つ折掛上げの状態から巻上げても構わない。
＜実施形態２＞
実施形態２に係るすだれ掛上げユニット５０は、図１０に示すように、受け具５２と留め具５８とを含む。
【００５７】
受け具５２は、金属板に打ち抜きや曲げなどの加工を施して形成したものである。受け具５２は、取付孔５４とフック部５６とを有する。取付孔５４に結束バンド２８を挿入して、受け具５２を上桟２０８に取り付ける方法は、実施形態１の場合と同様なので、その説明については省略する。
【００５８】
留め具５８は、フック部５６に繋止されるリング６０とリング６０に通されたコード６２とを含む。コード６２を一または隣り合う複数本のひご２０２に巻き掛けて、留め具５８をすだれ２００の本体２０６に装着する方法は、実施形態１の場合と同様なのでその説明については省略する。
【００５９】
なお、上記の例では、受け具５２を単純な形状のフック部５６を有するものとしたが、受け具５２に代えて、カラビナを受け具として用いても構わない。
＜実施形態３＞
実施形態３に係るすだれ掛上げユニット７０は、受け具と留め具の繋止に面ファスナを利用したものである。
【００６０】
図１１（ａ）に示すように、受け具７２は、方形の窓７４Ａを有する枠部７４Ｂと枠部７４Ｂから延出されたバンド部７４Ｃとからなる本体７４を有する。本体７４は、布製である。バンド部７４Ｃの枠部７４Ｂとは反対側の端部には、面ファスナを構成する一方のループテープ７６が縫合されている。
【００６１】
図１１（ｂ）に示すように、留め具７８も、方形の窓８０Ａを有する枠部８０Ｂと枠部８０Ｂから延出されたバンド部８０Ｃとからなる、布製の本体８０を有する。バンド部８０Ｃの枠部８０Ｂとは反対側の端部には、面ファスナの構成要素であるフックテープ８２が縫合されている。
【００６２】
なお、本体７４、８０は、布に限らず塩化ビニルなどの合成樹脂で形成しても構わない。この場合には、ループテープ７６とフックテープ８２は、本体７４，８０にそれぞれ接着剤によって接着することとする。
【００６３】
受け具７２は、図１１（ｃ）に示すように、すだれ２００の上桟２０８に取り付けられる。すなわち、上桟２０８に約１周巻き掛けたバンド部７４Ｃを窓７４Ａに挿入して後、手前に引くことによって、上桟２０８に括り付ける。
【００６４】
留め具７８も、受け具７２と同様にして、一または隣り合う数本の（本例では、二本の）ひご２０２に括り付けることにより、ひご２０２に装着する。
【００６５】
装着された留め具７８を持ち上げて、留め具７８のフックテープ８２と受け具７２のループテープ７６同士を押圧することにより、留め具７８が受け具７２に繋止される。
【００６６】
これにより、すだれ２００は、掛上げられた状態に保持される。なお、留め具７８は、下桟２１０（図１）に装着しても構わない。
【００６７】
留め具７８のひご２０２への上記した装着態様から理解されるように、留め具７８は下桟２１０またはすだれ２００の上下方向における任意のひご２０２（１本または数本）に装着可能であり、これにより実施形態１の場合と同様な効果が得られる。
＜実施形態４＞
実施形態４に係るすだれ掛上げユニット９０は、実施形態３に係るすだれ掛上げユニット７０（図１１）と同様、受け具と留め具を帯状のものとし、両者の繋止に面ファスナを利用したものであるが、実施形態３とは、受け具の上桟２０８への取付態様、留め具のひご２０２または下桟２１０への装着態様が異なっている。
【００６８】
図１２（ａ）に示すように、受け具９２は、帯状をした布製の本体９４を有する。本体９４の一端部にはフックテープ９６が、他端部にはループテープ９８がそれぞれ縫合されている。ループテープ９８には、後述する留め具１０２のフックテープ１０６が繋止される。また、本体９４の長手方向におけるフックテープ９６とループテープ１００の間には、フックテープ９６と繋止されるループテープ１００が縫合されている。
【００６９】
留め具１０２も、帯状をした布製の本体１０４を有する。本体１０４の両端部の各々には、フックテープ１０６およびフックテープ１０８が縫合されている。フックテープ１０６は、受け具９２のループテープ９８に繋止される。また、本体９４の長手方向における両フックテープ１０６，１０８の間には、フックテープ１０８と繋止されるループテープ１１０が縫合されている。
【００７０】
なお、本体９４、１０４は、実施形態３と同様、布に限らず塩化ビニルなどの合成樹脂で形成しても構わない。
【００７１】
受け具９２は、図１２（ｃ）に示すように、フックテープ９６とループテープ１００の間の本体９４部分を上桟２０８に巻き付けた上で、フックテープ９６とループテープ１００を相互に押圧することにより繋止して、上桟２０８に取り付ける。
【００７２】
留め具１０２は、図１２（ｃ）に示すように、フックテープ１０８とループテープ１１０の間の本体１０４部分を一または隣り合う数本の（本例では、二本の）ひご２０２に巻き付けた上で、フックテープ１０８とループテープ１１０を相互に押圧して繋止することにより、ひご２０２に装着する。
【００７３】
装着された留め具１０２を持ち上げて、留め具１０２のフックテープ１０６と受け具９２のループテープ９８同士を押圧することにより、留め具１０２が受け具９２に繋止される。
【００７４】
これにより、すだれ２００は、掛上げられた状態に保持される。なお、留め具１０２は、下桟２１０（図１）に装着しても構わない。
【００７５】
留め具１０２のひご２０２への上記した装着態様から理解されるように、留め具１０２は、実施形態３と同様、下桟２１０またはすだれ２００の上下方向における任意のひご２０２（１本または数本）に装着可能であり、これにより実施形態１の場合と同様な効果が得られる。
【００７６】
なお、実施形態３，４において、ループテープとフックテープを取り替えても構わない。すなわち、図１１、図１２において、ループテープが設けられているところにフックテープを用い、フックテープが用いられているところにループテープを用いても構わない。
【００７７】
また、フックテープの代わりにマッシュルームテープを用いても構わず、ループテープの代わりにナッピングテープを用いても構わない。
【００７８】
以上、本発明に係るすだれ掛上げユニットを実施形態に基いて説明してきたが、本発明は、上記した形態に限らないことは勿論であり、例えば、以下の形態とすることもできる。
【００７９】
（１）上記実施形態１では、コード３２を環状に成して留玉３４に取り付けて留め具３０を構成したが、これに限らず、留め具は、コードを環状にすることなく、留玉に取り付けて構成しても構わない。この場合には、コードの、留玉とは反対側の端部部分をひご２０２または下桟２１０に括り付けることにより、ひご２０２または下桟２１０に巻き付けて、留め具を装着する。
【００８０】
（２）上記実施形態１，２では、受け具１２，５２を金属で形成したが、これに限らず、合成樹脂や木材で形成することとしても構わない。
【００８１】
（３）上記実施形態３，４の面ファスナに代えてスナップボタンを用いても良い。すなわち、ループテープの代わりに雌（凹）ボタンを設け、フックテープの代わりに雄（凸）ボタンを設けることとしても構わない。あるいは、この逆に、ループテープの代わりに雄（凸）ボタンを設け、フックテープの代わりに雌（凹）ボタンを設けることとしても構わない。
【産業上の利用可能性】
【００８２】
本発明に係るすだれ掛上げユニットは、すだれを、例えば二つ折りや三つ折りの状態で掛上げて、その垂長を調整する用具として好適に利用可能である。
【符号の説明】
【００８３】
１０，５０，７０，９０    すだれ掛上げユニット
１２，５２，７２，９２    受け具
３０，５８，７８，１０２    留め具
【図１】
2015226735.tif 000003
【図２】
2015226735.tif 000004
【図３】
2015226735.tif 000005
【図４】
2015226735.tif 000006
【図５】
2015226735.tif 000007
【図６】
2015226735.tif 000008
【図７】
2015226735.tif 000009
【図８】
2015226735.tif 000010
【図９】
2015226735.tif 000011
【図１０】
2015226735.tif 000012
【図１１】
2015226735.tif 000013
【図１２】
2015226735.tif 000014